(57)【要約】【課題】  ワイヤーストッパー本体にフックを予め固定しておかなくてもワイヤーを通すことによってワイヤーストッパーとフックを一体化することができて製造コストを低廉化することができるフックの吊下装置を提供すること。【解決手段】  係止ボールによる挟持機構を有するワイヤーストッパーと、同ワイヤーストッパーを嵌合する有底円筒状のキャップ及び該キャップに形成されたスリットに差し入れられる水平片を有するフックから構成され、キャップの頂片に形成された孔からフックの水平片に形成された孔を通るワイヤーをワイヤーストッパーに通すことによってワイヤーストッパー、キャップ、フックの３者を一体化することを特徴とする。【選択図】図２
2007303665.tif 000002
【特許請求の範囲】
【請求項１】
係止ボールによる挟持機構を有するワイヤーストッパーと、同ワイヤーストッパーを嵌合する有底円筒状のキャップ及び該キャップに形成されたスリットに差し入れられる水平片を有するフックから構成され、キャップの頂片に形成された孔からフックの水平片に形成された孔を通るワイヤーをワイヤーストッパーに通すことによってワイヤーストッパー、キャップ、フックの３者を一体化することを特徴とするフックの吊下装置。
【発明の詳細な説明】
【技術分野】
【０００１】  本発明は、本発明は、ワイヤーストッパーの原理を利用したフックの吊下装置に関するものである。
【背景技術】
【０００２】
【公知文献１】
特開平０９−１６８４６０号公報
【公知文献２】
特開平１１−３７１３４号公報
【発明の開示】
【発明が解決しようとする課題】
【０００３】  従来から、壁面に固定されたハンガーレール等に、ワイヤーストッパーの原理を利用して絵画やポスターの額等を掛けるためのフックを任意位置で吊り下げるフックの吊下装置なるものは公知である。【０００４】  即ち、係止ボールによる挟持機構を有する公知のワイヤーストッパーにフックをネジ止めしたフックの吊下装置は  特開平０９−１６８４６０号公報や特開平１１−３７１３４号公報等に記載される発明によって公知であり、また、ワイヤーストッパーにフックをカシメ止めしたものも公知である。【０００５】  つまり、従来のフックの吊下装置にあっては製作段階においてワイヤーストッパー本体にフックをネジ止め若しくはカシメ止めしたものであって、工場生産時にワイヤーストッパー本体にフックを一体化しておく工程を要して製造コストが上がるという問題点があった。
【発明の目的】
【０００６】本発明の目的は、ワイヤーストッパー本体にフックを予め固定しておかなくてもワイヤーを通すことによってワイヤーストッパーとフックを一体化することができて製造コストを低廉化することができるフックの吊下装置を提供することにある。
【課題を解決するための手段】
【０００７】  本発明に係るフックの吊下装置は、係止ボールによる挟持機構を有するワイヤーストッパーと、同ワイヤーストッパーを嵌合する有底円筒状のキャップ及び該キャップに形成されたスリットに差し入れられる水平片を有するフックから構成され、キャップの頂片に形成された孔からフックの水平片に形成された孔を通るワイヤーをワイヤーストッパーに通すことによってワイヤーストッパー、キャップ、フックの３者を一体化することを特徴とするものである。
【発明の作用】
【０００８】  本発明においては、ワイヤーストッパーに嵌合されるキャップのスリットにフックの水平片を差し入れて、ワイヤーをキャップの頂片に形成された孔からフックの水平片に形成された孔を通してワイヤーストッパーに通すことによってキャップ及びフックはワイヤーストッパーに保持されると共に、フックのキャップからの離脱はワイヤーによって防止され、フックを予めワイヤーストッパーに固定していなくても使用時にワイヤーを通すことによってワイヤーストッパー、キャップ、フックの３者が一体化する。
【実施例】
【０００９】  図１は、本発明装置の組み付け状態を表わす分解側面図、図２は、ワイヤーを通す前の同装置の組み付け状態を表わす縦断側面図、図３は、ワイヤーを通した時の同装置の組み付け状態を表わす縦断側面図、図４は、ワイヤーを通した時の同装置の要部横断平面図である。【００１０】  図において、１は、ワイヤーＷを本体内部に設けられた複数の係止ボールによって挟持してワイヤーＷに係止される前記公報他多数の公報でも公知となっているワイヤーストッパーであって、同ワイヤーストッパー１の具体的構成は、ワイヤーＷが入る入り口の孔を有する断面視円錐台状の凹部１−１ａを形成したシリンダー１−１と、この凹部１−１ａに嵌合するワイヤーＷが通る孔を有する円錐台状の係止部材１−２及びこの係止部材１−２を常時シリンダー１−１の凹部１−１ａに嵌合させる方向に付勢するスプリング１−３とから構成され、係止部材１−２の斜面側に形成された孔に入れられた複数の係止ボール１−４・・・１−４によってワイヤーＷを挟持するようになっている。【００１１】  この係止ボール１−４による挟持作用は、係止部材１−２がスプリング１−３に付勢されてシリンダー１−１の凹部１−１ａに嵌まり込んでいるのときには、係止ボール１−４が凹部１−１ａの小径となっている壁面に押されて中央側に押し込まれ、係止部材１−２の中央の孔を通るワイヤーＷを係止ボール１−４が挟持してワイヤーＷとワイヤーストッパー１が一体化するもので、係止部材１−２と一体のパイプ下端の摘み１−２ａをスプリング１−３に抗して引き下げてやれば、係止ボール１−４を押し込む力がなくなり、ワイヤーＷとワイヤーストッパー１がフリーとなって係止解除されるものである。【００１２】  ２は、前記ワイヤーストッパー１に嵌合する有底円筒状のキャップであって、その頂片２−１にワイヤーＷを通すための孔２−１ａが形成され、側壁には後述するフック上端の水平片が差し入れられるスリット２−２が形成されている。【００１３】  ３は、絵画やポスターの額等を吊り下げるためのフックであって、上端には前記キャップ２のスリット２−２に差し入れるための水平片３−１が形成され、その水平片３−１にはワイヤーＷを通すための孔３−１ａが形成されている。【００１４】  尚、キャップ２は金属製であってもよいが、軟質または半硬質の合成樹脂で成形してワイヤーストッパー１のシリンダー１−１の外周に突条１−５を形成しておけば、キャップ２にワイヤーストッパー１を嵌合したときに突条１−５がキャップ２の内周を押し広げるように嵌合するため、ワイヤーストッパー１若しくはキャップ２の加工精度が悪くてもガタ付きが生じず、また、着色した合成樹脂を使用することによって商品価値を高める効果もある。【００１５】次に、本発明に係るフックの吊下装置の組み付け方法並びにその作用を具体的に説明する。【００１６】  先ず、図１の分解図において、フック３の上端の水平片３−１をキャップ２のスリット２−２に差し入れ、キャップ２の下方からワイヤーストッパー１の上端を差し入れて嵌合させてワイヤーストッパー１、キャップ２、フック３の３者を組み付ける。【００１７】  図２は、ワイヤーストッパー１、キャップ２、フック３の３者を組��付けた状態の縦断側面図であって、キャップ２の頂片２−１の孔２−１ａ、フック３の水平片３−１の孔３−１ａ及びワイヤーストッパー１の入り口の孔が一直線上に揃っている。【００１８】  この状態において、ワイヤーストッパー１の係止部材１−２と一体のパイプ下端の摘み１−２ａをスプリング１−３に抗して引き下げながら、壁面に固定されたハンガーレール等から垂らしたワイヤーＷをキャップ２の頂片２−１の孔２−１ａ、フック３の水平片３−１の孔３−１ａ及びワイヤーストッパー１の入り口の孔の順に挿通してフックを固定したい個所で前記摘み１−２ａから指を離してやると、上述の係止ボールによる挟持機構の作用によって図３のようにワイヤーストッパー１がその位置で固定される。【００１９】  即ち、ワイヤーストッパー１がその位置で固定されることによって、キャップ２及びフック３の下方への脱落はなく、また、フック３のキャップ２からの離脱はフック３の上端の水平片３−１の孔３−１ａを通るワイヤーＷによって防止されるので、ワイヤーストッパー１、キャップ２、フック３の３者はワイヤーＷを介して一体化されるものである。
【発明の効果】
【００２０】  以上述べたように、本発明に係るフックの吊下装置によれば、係止ボールによる挟持機構を有するワイヤーストッパーと、同ワイヤーストッパーを嵌合する有底円筒状のキャップ及び該キャップに形成されたスリットに差し入れられる水平片を有するフックから構成され、キャップの頂片に形成された孔からフックの水平片に形成された孔を通るワイヤーをワイヤーストッパーに通すことによってワイヤーストッパー、キャップ、フックの３者を一体化するようにしたもので、ワイヤーストッパー本体にフックを予め固定しておかなくてもワイヤーを通すことによってワイヤーストッパーとフックを一体化することができ、従来装置のように、製造工程においてワイヤーストッパーとフックを一体化するためのネジ止めやカシメ止め等の工程を省略することができるため、安価にフックの吊下装置を提供できるという効果を奏し得るものである。
【図面の簡単な説明】
【００２１】
【図１】  本発明装置の組み付け状態を表わす分解側面図である。
【図２】  ワイヤーを通す前の同装置の組み付け状態を表わす縦断側面図である。
【図３】  ワイヤーを通す前の同装置の組み付け状態を表わす縦断側面図である。
【図４】  ワイヤーを通した時の同装置の要部横断平面図である。
【符号の説明】
【００２１】    １          ワイヤーストッパー
２          キャップ
３          フック
【図１】
2007303665.tif 000003
【図２】
2007303665.tif 000004
【図３】
2007303665.tif 000005
【図４】
2007303665.tif 000006